(57)【要約】【課題】液晶表示パネルのバックライトシャーシの裏面２箇所に配置した点灯回路部をワイヤハーネスで接続するものにおいて、ハーネスクランプでワイヤハーネスを保持する作業を労力少なく行い得るようにする。【解決手段】液晶表示パネル６のバックライトシャーシ１は、表面に複数の光源ランプ３を配置し、裏面には離れた２箇所に光源ランプ３の点灯回路部１０Ｌ、１０Ｒを配置している。点灯回路部１０Ｌ、１０Ｒを接続するワイヤハーネス１３は、中間部をハーネスクランプ１４で保持される。ハーネスクランプ１４は、少なくとも一部がバックライトシャーシ１に一体成形されている。【選択図】図１
2009016190.tif 000002
【特許請求の範囲】
【請求項１】
表面に光源ランプ群を配置し、裏面には離れた２箇所に前記光源ランプ群の点灯回路部を配置してなる液晶表示パネルのバックライトシャーシにおいて、
前記２箇所の点灯回路部を接続するワイヤハーネスの中間部を保持するハーネスクランプの少なくとも一部をバックライトシャーシに一体成形したことを特徴とする液晶表示パネルのバックライトシャーシ。
【請求項２】
前記ハーネスクランプは、一端がバックライトシャーシに一体的に連結された門型部材と、バックライトシャーシに一体成形されて前記門型部材の他端の自由端を受ける受け部からなることを特徴とする請求項１に記載の液晶表示パネルのバックライトシャーシ。
【請求項３】
前記ハーネスクランプは、一端がバックライトシャーシに一体的に連結された門型部材と、バックライトシャーシに固定されて前記門型部材の他端の自由端を受ける、別部品の受け部からなることを特徴とする請求項１に記載の液晶表示パネルのバックライトシャーシ。
【請求項４】
前記ハーネスクランプは、両端がバックライトシャーシに一体的に連結された門型部材からなることを特徴とする請求項１に記載の液晶表示パネルのバックライトシャーシ。
【請求項５】
前記ハーネスクランプは、バックライトシャーシに一体成形されたあり溝と、前記あり溝に一端を差し込んで保持される、別部品の門型部材からなることを特徴とする請求項１に記載の液晶表示パネルのバックライトシャーシ。
【請求項６】
前記ハーネスクランプは、バックライトシャーシに一体成形されたＣ字形クリップからなることを特徴とする請求項１に記載の液晶表示パネルのバックライトシャーシ。
【請求項７】
合成樹脂製であることを特徴とする請求項１から７のいずれか１項に記載の液晶表示パネルのバックライトシャーシ。
【発明の詳細な説明】
【技術分野】
【０００１】
本発明は液晶表示パネルのバックライトシャーシに関する。
【背景技術】
【０００２】
液晶表示パネルのバックライトシャーシは、表面に光源ランプ群を配置し、裏面に光源ランプ群の点灯回路部を配置する。この時、光源ランプの左右の端の一方のみで点灯回路部に接続されると、液晶表示パネルの左右で明るさのバランスがとれなくなる。このため、バックライトシャーシの裏面の左右２箇所に点灯回路部を配置し、左側の点灯回路部に左端で接続する光源ランプと、右側の点灯回路部に右端で接続する光源ランプを交互に並べ、画面の左右で明るさに差が生じないようにしている。
【０００３】
液晶表示パネルの構造例を図６−１０に基づき説明する。図６は液晶表示装置の分解斜視図、図７はバックライトシャーシの裏面図、図８は光源ランプの中間部を保持するクリップの拡大正面図、図９は従来構造に係るバックライトシャーシの部分拡大断面図、図１０は図９の箇所の部分拡大正面図である。
【０００４】
図６の分解斜視図は、表示面が上向きとなるように液晶表示装置を組み立てるものとして構成要素が配置されている。最下部に位置するのはバックライトシャーシ１であり、その表面（上面）には反射シート２が重ねられ、その上に光源ランプ３が複数配置される。バックライト用の光源ランプとしては一般的に直管状の冷陰極管が使用されるが、それ以外の種類のランプ、例えば熱陰極管やキセノンランプなども使用可能である。
【０００５】
ランプ３の上には拡散板、レンズシート、偏光反射シート、拡散シートなどの光学シート群４が配置される。光学シート群４は光源ランプ３が発する光の特性を調整するのに用いられる。
【０００６】
光学シート群４は額縁状のフレーム５によってバックライトシャーシ１に取り付けられる。フレーム５の上には液晶表示パネル６が配置される。最上段には額縁状のベゼル７が配置される。ベゼル７は、液晶表示パネル６をバックライトシャーシ１に対し固定し、また液晶表示装置全体の外観を整える役割を担う。
【０００７】
バックライトシャーシ１は、平面形状が矩形で、周囲に縁が立ち上がったトレイ形状となっている。バックライトシャーシ１には、光源ランプ３の両端を保持するソケット８の取付部９が形成される。取付部９は所定形状の貫通穴であって、ソケット８が２個ずつ差し込まれるものであり、バックライトシャーシ１の短辺に沿って一列に並ぶ形で複数形成されている。ソケット８はバックライトシャーシ１の裏面（下面）の離れた２箇所に設けられた点灯回路部（図８参照）に電気的に接続される。
【０００８】
図７において左側に位置する点灯回路部を点灯回路部１０Ｌとし、右側に位置する点灯回路部を点灯回路部１０Ｒとする。光源ランプ３は、点灯回路部１０Ｌに左端で接続するものと、点灯回路部１０Ｒに右端で接続するものとが交互に並ぶ形になる。これは、前述の通り、画面の左右で明るさに差が生じないようにするためである。
【０００９】
光源ランプ３は長尺であり、振動が伝わると鳴動する。これを避けるため、光源ランプ３の中間部をクリップ１１でバックライトシャーシ１に固定する。クリップ１１の構造を図８に示す。クリップ１１は、平面形状矩形の平板状のベース１１ａの上面に、上方に開いたＣ字形状のランプホルダ１１ｂを設けている。ランプホルダ１１ｂは弾性で光源ランプ３を抱えるものであり、ベース１１ａの長手方向の両端に１個ずつ、計２個設けられる。ベース１１ａの下面には、膨らんだ頭部と割溝を有するスナップピン１１ｃが、ベース１１ａの長手方向に間隔を置いて２個形成されている。クリップ１１は全体が弾力性のある合成樹脂で一体成形される。
【００１０】
バックライトシャーシ１及びその上面に貼り付けられる反射シート２にはクリップ１１の取付部１２が形成される。スナップピン１１ｃを通す貫通穴が２個１組となって１個の取付部１２を構成する。取付部１２に上方からスナップピン１１ｃを押し付けると、スナップピン１１ｃの膨らんだ頭部が縮んで穴を通り抜ける。スナップピン１１ｃの頭部はバックライトシャーシ１の下面に出るとスプリングバックして膨らみ、これによりクリップ１１は取付状態となる。
【００１１】
光源ランプ３は中間の２箇所をクリップ１１で保持される。１個のクリップ１１が２本の光源ランプ３を保持するので、２本１組の光源ランプ３に対し、取付部１２が光源ランプ３の長さ方向に間隔を置いて２箇所に設けられることになる。
【００１２】
点灯回路部１０Ｌ、１０Ｒはワイヤハーネス１３で接続される。ワイヤハーネス１３は２本設けられている。
【００１３】
ワイヤハーネス１３がたるまないよう、ワイヤハーネス１３の中間部をハーネスクランプ１４で保持する。ハーネスクランプ１４は１本のワイヤハーネス１３につき３個設けられている。図９、１０に示すように、ハーネスクランプ１４は２個の部品により構成される。２個の部品の１個は受け部１５であり、他の１個は門型部材１６である。これらはいずれも弾力のある合成樹脂で形成される。
【００１４】
受け部１５はバックライトシャーシ１の裏面に固定されるものであり、あり溝１５ａを有している。門型部材１６は、図９の状態では門を倒立させた形になっており、一方の脚部の先端には受け部１５のあり溝１５ａに係合するＴ字形係合部１６ａを有し、他方の脚部の先端にはバックライトシャーシ１の貫通穴１７に係合する係合片１６ｂを有している。バックライトシャーシ１と門型部材１６の間にワイヤハーネス１３を挟み、Ｔ字形係合部１６ａをあり溝１５ａに係合させ、係合片１６ｂを貫通穴１７に係合させれば、ハーネスクランプ１４によるワイヤハーネス１３の保持が達成される。
【００１５】
上述のハーネスクランプのように、何らかの部材で配線を保持することは、電気機械や電子機械で広く実施されている。その例を特許文献１に見ることができる。
【特許文献１】特開２００４−３９５３３号公報
【発明の開示】
【発明が解決しようとする課題】
【００１６】
液晶表示パネルのバックライトシャーシの裏面の２箇所に光源ランプ群の点灯回路部を配置し、その点灯回路部をワイヤハーネスで接続するにあたり、ワイヤハーネスの中間部の保持を、バックライトシャーシと別体のハーネスクランプで行うこととすると、ハーネスクランプの２箇所をバックライトシャーシに係合させる必要が生じていた。１個のハーネスクランプにつき２回の係合作業が必要ということは、ハーネスクランプの数が多くなればなるほど作業者に多大の労力を強いることになる。最近のテレビ用液晶表示パネルは大型化が進み、ハーネスクランプの数も増えており、何らかの労力軽減策が求められる。本発明はこの点に鑑みなされたものであり、ハーネスクランプでワイヤハーネスを保持する作業を労力少なく行い得るようにすることを目的とする。
【課題を解決するための手段】
【００１７】
上記目的を達成するために本発明は、表面に光源ランプ群を配置し、裏面には離れた２箇所に前記光源ランプ群の点灯回路部を配置してなる液晶表示パネルのバックライトシャーシにおいて、前記２箇所の点灯回路部を接続するワイヤハーネスの中間部を保持するハーネスクランプの少なくとも一部をバックライトシャーシに一体成形したことを特徴としている。
【００１８】
この構成によると、ハーネスクランプの少なくとも一部をバックライトシャーシに一体成形したことにより、ハーネスクランプでワイヤハーネスを保持する工程で必要な係合作業の回数が減り、作業者の労力軽減と作業のスピードアップを実現できる。
【００１９】
また本発明は、上記構成の液晶表示パネルのバックライトシャーシにおいて、前記ハーネスクランプは、一端がバックライトシャーシに一体的に連結された門型部材と、バックライトシャーシに一体成形されて前記門型部材の他端の自由端を受ける受け部からなることを特徴としている。
【００２０】
この構成によると、門型部材と受け部の両方がバックライトシャーシへの一体成形で得られ、製造コストと組み付けコストを低減できる上、部品紛失のおそれもない。
【００２１】
また本発明は、上記構成の液晶表示パネルのバックライトシャーシにおいて、前記ハーネスクランプは、一端がバックライトシャーシに一体的に連結された門型部材と、バックライトシャーシに固定されて前記門型部材の他端の自由端を受ける、別部品の受け部からなることを特徴としている。
【００２２】
この構成によると、門型部材がバックライトシャーシへの一体成形で得られ、製造コストと組み付けコストを低減できる上、部品紛失のおそれもない。
【００２３】
また本発明は、上記構成の液晶表示パネルのバックライトシャーシにおいて、前記ハーネスクランプは、両端がバックライトシャーシに一体的に連結された門型部材からなることを特徴としている。
【００２４】
この構成によると、門型部材がバックライトシャーシへの一体成形で得られ、製造コストと組み付けコストを低減できる上、部品紛失のおそれもない。また門型部材の両端がバックライトシャーシに一体的に連結されているので、十分な強度を得ることができる。
【００２５】
また本発明は、上記構成の液晶表示パネルのバックライトシャーシにおいて、前記ハーネスクランプは、バックライトシャーシに一体成形されたあり溝と、前記あり溝に一端を差し込んで保持される、別部品の門型部材からなることを特徴としている。
【００２６】
この構成によると、門型部材によるワイヤハーネスの保持を簡単に行うことができる。
【００２７】
また本発明は、上記構成の液晶表示パネルのバックライトシャーシにおいて、前記ハーネスクランプは、バックライトシャーシに一体成形されたＣ字形クリップからなることを特徴としている。
【００２８】
この構成によると、Ｃ字形クリップにはめ込むだけでワイヤハーネスを保持でき、ワイヤハーネス保持作業が著しくスピードアップされる。
【００２９】
また本発明は、上記構成の液晶表示パネルのバックライトシャーシを合成樹脂製としたことを特徴としている。
【００３０】
この構成によると、バックライトシャーシとハーネスクランプに所要の弾性を与えることができる。
【発明の効果】
【００３１】
本発明によると、液晶表示パネルのバックライトシャーシの裏面２箇所に配置した点灯回路部を接続するワイヤハーネスの中間部をハーネスクランプで保持する際の係合作業の回数を減らし、作業者の労力を軽減し、また作業をスピードアップすることができる。
【発明を実施するための最良の形態】
【００３２】
以下本発明の実施形態を図１−５に基づき説明する。図１−５の各図は図９と同様のバックライトシャーシの部分拡大断面図であり、１個の図が１個の実施形態に対応している。図９の構成要素と機能的に共通する構成要素については図９で用いたのと同じ符号を付し、支障のないかぎり説明は省くものとする。
【００３３】
図１の第１実施形態では、門型部材１６と受け部１５がバックライトシャーシ１に一体成形されている。すなわちバックライトシャーシ１は合成樹脂製であり、門型部材１６は図１０において係合片１６ａとなっていた側の端でバックライトシャーシ１に一体的に連結されている。
【００３４】
第１実施形態の構成によると、門型部材１６と受け部１５の両方がバックライトシャーシ１への一体成形で得られ、製造コストと組み付けコストを低減できる上、部品紛失のおそれもない。
【００３５】
図２の第２実施形態では、門型部材１６を第１実施形態の手法でバックライトシャーシ１に一体成形した上、別部品の受け部１５をバックライトシャーシ１に固定した。
【００３６】
第２実施形態の構成によると、門型部材１６がバックライトシャーシ１への一体成形で得られ、製造コストと組み付けコストを低減できる上、部品紛失のおそれもない。
【００３７】
図３の第３実施形態では、門型部材１６の両端をバックライトシャーシ１に一体的に連結している。ワイヤハーネス１３は少なくとも一端を点灯回路部１０に接続しないままにしておき、門型部材１６をくぐらせてから点灯回路部１０に接続する。
【００３８】
第３実施形態の構成によると、門型部材１６がバックライトシャーシ１への一体成形で得られ、製造コストと組み付けコストを低減できる上、部品紛失のおそれもない。また門型部材１６の両端がバックライトシャーシ１に一体的に連結されているので、十分な強度を得ることができる。
【００３９】
図４の第４実施形態では、ハーネスクランプ１４は、バックライトシャーシ１に一体成形されたあり溝１５ａと、あり溝１５ａに一端のＴ字形係合部１６ａを差し込んで保持される、別部品の門型部材１６からなる。
【００４０】
第４実施形態の構成によると、門型部材１６によるワイヤハーネス１３の保持を簡単に行うことができる。
【００４１】
図５の第５実施形態では、ハーネスクランプ１４は、バックライトシャーシ１に一体成形されたＣ字形クリップ１８からなる。Ｃ字形クリップ１８は、Ｃの字の開いた側がバックライトシャーシ１のある側と反対側を向いている。
【００４２】
第５実施形態の構成によると、Ｃ字形クリップ１８にはめ込むだけでワイヤハーネス１３を保持でき、ワイヤハーネス保持作業が著しくスピードアップされる。
【００４３】
第１実施形態と同様、第２〜第５実施形態においてもバックライトシャーシ１は合成樹脂製とされる。これにより、バックライトシャーシ１とハーネスクランプ１４に所要の弾性を与えることができる。
【００４４】
以上、本発明の実施形態につき説明したが、本発明の範囲はこれに限定されるものではなく、発明の主旨を逸脱しない範囲で種々の変更を加えて実施することができる。
【産業上の利用可能性】
【００４５】
本発明は大型液晶表示パネルのバックライトシャーシに広く利用可能である。
【図面の簡単な説明】
【００４６】
【図１】第１実施形態を示すバックライトシャーシの部分拡大断面図
【図２】第２実施形態を示すバックライトシャーシの部分拡大断面図
【図３】第３実施形態を示すバックライトシャーシの部分拡大断面図
【図４】第４実施形態を示すバックライトシャーシの部分拡大断面図
【図５】第５実施形態を示すバックライトシャーシの部分拡大断面図
【図６】液晶表示装置の分解斜視図
【図７】バックライトシャーシの裏面図
【図８】光源ランプの中間部を保持するクリップの拡大正面図
【図９】従来構造に係るバックライトシャーシの部分拡大断面図
【図１０】図９の箇所の部分拡大正面図
【符号の説明】
【００４７】
１    バックライトシャーシ
２    反射シート
３    光源ランプ
６    液晶表示パネル
１０Ｌ、１０Ｒ  点灯回路部
１３  ワイヤハーネス
１４  ハーネスクランプ
１５  受け部
１５ａ  あり溝
１６  門型部材
１６ａ  Ｔ字形係合部
１８  Ｃ字形クリップ
【図１】
2009016190.tif 000003
【図２】
2009016190.tif 000004
【図３】
2009016190.tif 000005
【図４】
2009016190.tif 000006
【図５】
2009016190.tif 000007
【図６】
2009016190.tif 000008
【図７】
2009016190.tif 000009
【図８】
2009016190.tif 000010
【図９】
2009016190.tif 000011
【図１０】
2009016190.tif 000012